(57)【要約】【課題】鍵収納部の蓋体の不正解錠を防止するようにした鍵保管用錠を提供すること。【解決手段】鍵収納部２を錠ケース３に設け、鍵収納部２の開口部２１に蓋体４を可動に配設するとともに、蓋体４に形成した凹穴４１にシャックル１の短脚部１１を挿入することにより蓋体４をロックするようにした鍵保管用錠において、シャックル１を閉じることにより、蓋体４を錠ケース３側に係合して固定するロック機構４１、５を設ける。【選択図】図１
2008179981.tif 000002
【特許請求の範囲】
【請求項１】
鍵収納部を錠ケースに設け、該鍵収納部の開口部に蓋体を可動に配設するとともに、該蓋体に形成した凹穴にシャックルの短脚部を挿入することにより蓋体をロックするようにした鍵保管用錠において、シャックルを閉じることにより、蓋体を錠ケース側に係合して固定するロック機構を設けたことを特徴とする鍵保管用錠。
【請求項２】
ロック機構が、側部が凹穴に突出するように蓋体に配設されるとともに、凹穴に挿入した短脚部に押されることにより側方に移動して錠ケースに係合するラッチボールからなることを特徴とする請求項１記載の鍵保管用錠。
【請求項３】
ロック機構が、下部が退入可能に突出するように凹穴の下に配設されるとともに、突出状態で錠ケースに係合し、凹穴に挿入した短脚部が当接することにより突出状態を保持するラッチボールからなることを特徴とする請求項１記載の鍵保管用錠。
【請求項４】
ロック機構が、上部が凹穴に突出するように蓋体に付勢して配設されるとともに、凹穴に挿入した短脚部に押されることにより下方に突出して錠ケースに係合するロックピンからなることを特徴とする請求項１記載の鍵保管用錠。
【請求項５】
ロック機構が、中間部が錠ケース内で軸支され、一端がシャックルの長脚部と連動するとともに、シャックルの閉じ動作により他端が上昇して蓋体に係合する揺動片からなることを特徴とする請求項１記載の鍵保管用錠。
【請求項６】
ロック機構が、蓋体の基部側に設けられ、閉じ位置でシャックルの長脚部に嵌合するスライド方向の溝穴と、該溝穴から幅方向外側に延設されたキー溝と、シャックルの長脚部に設けられ、シャックルの閉じ位置でキー溝に嵌合するキーとを備えたことを特徴とする請求項１記載の鍵保管用錠。
【発明の詳細な説明】
【技術分野】
【０００１】
本発明は、鍵保管用錠に関し、特に、鍵収納部の蓋体の不正解錠を防止するようにした鍵保管用錠に関するものである。
【背景技術】
【０００２】
例えば、玄関錠の予備鍵を予め用意し、この予備鍵を、郵便受けのように人目に付かない目立たない場所に隠しておくということが行われている。
しかし、見つかればすぐに取り出せることから、このような場所に鍵を隠すのは防犯上きわめて危険であり、このため、南京錠の錠ケースに鍵を収納する鍵収納部を設けた鍵保管用錠が提案されている（例えば、特許文献１参照）。
【０００３】
この鍵保管用錠は、シャックル側が開口する鍵収納部を錠ケースに設け、該開口部に蓋体をスライド可能に配設するとともに、該蓋体に形成した凹穴にシャックルの短脚部を挿入することにより蓋体をロックするようにしている。
【０００４】
しかしながら、この従来の鍵保管用錠は、シャックルの短脚部がスライド可能な蓋体にのみ係合することから、バール等によってシャックルを蓋体のスライド方向にこじると、蓋体のスライド移動に伴い、シャックルの短脚部が開いて蓋体から抜けるという問題を有している。
【特許文献１】特開２００１−１２１２１号公報
【発明の開示】
【発明が解決しようとする課題】
【０００５】
本発明は、上記従来の鍵保管用錠が有する問題点に鑑み、鍵収納部の蓋体の不正解錠を防止するようにした鍵保管用錠を提供することを目的とする。
【課題を解決するための手段】
【０００６】
上記目的を達成するため、本発明の鍵保管用錠は、鍵収納部を錠ケースに設け、該鍵収納部の開口部に蓋体を可動に配設するとともに、該蓋体に形成した凹穴にシャックルの短脚部を挿入することにより蓋体をロックするようにした鍵保管用錠において、シャックルを閉じることにより、蓋体を錠ケース側に係合して固定するロック機構を設けたことを特徴とする。
【０００７】
この場合において、ロック機構を、側部が凹穴に突出するように蓋体に配設されるとともに、凹穴に挿入した短脚部に押されることにより側方に移動して錠ケースに係合するラッチボールで構成することができる。
【０００８】
また、ロック機構を、下部が退入可能に突出するように凹穴の下に配設されるとともに、突出状態で錠ケースに係合し、凹穴に挿入した短脚部が当接することにより突出状態を保持するラッチボールで構成することができる。
【０００９】
また、ロック機構を、上部が凹穴に突出するように蓋体に付勢して配設されるとともに、凹穴に挿入した短脚部に押されることにより下方に突出して錠ケースに係合するロックピンで構成することができる。
【００１０】
また、ロック機構を、中間部が錠ケース内で軸支され、一端がシャックルの長脚部と連動するとともに、シャックルの閉じ動作により他端が上昇して蓋体に係合する揺動片で構成することができる。
【００１１】
また、ロック機構を、蓋体の基部側に設けられ、閉じ位置でシャックルの長脚部に嵌合するスライド方向の溝穴と、該溝穴から幅方向外側に延設されたキー溝と、シャックルの長脚部に設けられ、シャックルの閉じ位置でキー溝に嵌合するキーとにより構成することができる。
【発明の効果】
【００１２】
本発明の鍵保管用錠によれば、鍵収納部を錠ケースに設け、該鍵収納部の開口部に蓋体を可動に配設するとともに、該蓋体に形成した凹穴にシャックルの短脚部を挿入することにより蓋体をロックするようにした鍵保管用錠において、シャックルを閉じることにより、蓋体を錠ケース側に係合して固定するロック機構を設けたことから、シャックルの短脚部を蓋体の凹穴に挿入した状態では、この短脚部による固定とともに、蓋体はロック機構により錠ケース側に固定されることになり、これにより、バール等でシャックルをこじても蓋体は動かず、その結果、シャックルの短脚部が開いて蓋体から抜けることを防止することができる。
【００１３】
この場合、ロック機構を、側部が凹穴に突出するように蓋体に配設されるとともに、凹穴に挿入した短脚部に押されることにより側方に移動して錠ケースに係合するラッチボールで構成することにより、簡単かつ確実な構造で蓋体を錠ケース側に固定することができる。
【００１４】
また、ロック機構を、下部が退入可能に突出するように凹穴の下に配設されるとともに、突出状態で錠ケースに係合し、凹穴に挿入した短脚部が当接することにより突出状態を保持するラッチボールで構成することにより、簡単かつ確実な構造で蓋体を錠ケース側に固定することができる。
【００１５】
また、ロック機構を、上部が凹穴に突出するように蓋体に付勢して配設されるとともに、凹穴に挿入した短脚部に押されることにより下方に突出して錠ケースに係合するロックピンで構成することにより、簡単かつ確実な構造で蓋体を錠ケース側に固定することができる。
【００１６】
また、ロック機構を、中間部が錠ケース内で軸支され、一端がシャックルの長脚部と連動するとともに、シャックルの閉じ動作により他端が上昇して蓋体に係合する揺動片で構成することにより、簡単かつ確実な構造で蓋体を錠ケース側に固定するとともに、シャックルが切断された場合でも、長脚部を上げない限り蓋体の不正解錠を防止することができる。
【００１７】
また、ロック機構を、蓋体の基部側に設けられ、閉じ位置でシャックルの長脚部に嵌合するスライド方向の溝穴と、該溝穴から幅方向外側に延設されたキー溝と、シャックルの長脚部に設けられ、シャックルの閉じ位置でキー溝に嵌合するキーとにより構成することにより、簡単かつ確実な構造で蓋体を錠ケース側に固定するとともに、シャックルが切断された場合でも、長脚部を上げない限り蓋体の不正解錠を防止することができる。
【発明を実施するための最良の形態】
【００１８】
以下、本発明の鍵保管用錠の実施の形態を、図面に基づいて説明する。
【実施例１】
【００１９】
図１〜図９に、本発明の鍵保管用錠の第１実施例を示す。
この鍵保管用錠は、シャックル１側が開口する鍵収納部２を錠ケース３に設け、該開口部２１に蓋体４をスライド可能に配設するとともに、該蓋体４に形成した凹穴４１にシャックル１の短脚部１１を挿入することにより蓋体４をロックする。
そして、この鍵保管用錠は、シャックル１を閉じることにより、蓋体４を錠ケース３側に係合して固定するロック機構を設けている。
【００２０】
ロック機構は、側部が凹穴４１に突出するように蓋体４に配設されるとともに、凹穴４１に挿入した短脚部１１に押されることにより側方に移動して錠ケース３に係合するラッチボール５で構成されている。
【００２１】
シャックル１は、Ｊ字状を呈して錠ケース３の上部に設けられ、ドアノブの首や環状の取っ手等に施錠可能に取り付けられる。
シャックル１は、本実施例では、その長脚部１２がキー軸３２に一体に連結され、ダイヤル錠を構成するダイヤルリング３１を合わせることにより解錠できるようにされている。
シャックル１の長脚部１２が上昇すると、シャックル１の短脚部１１は、蓋体４の凹穴４１から抜けて解錠状態となる。
なお、図４に示すように、解錠状態で、シャックル１を押し下げることによって、スペーサ３４を介してばね３３によって付勢されている、ダイヤル錠を構成するダイヤルリング３１と嵌合しているカラー３５を押し下げて、ダイヤルリング３１とカラー３５の嵌合を解除し、この状態で、ダイヤルリング３１を回転させることによって解錠番号を任意の番号に変更することができるようにしている。
【００２２】
錠ケース３には、上部が開口する鍵収納部２が設けられており、該鍵収納部２の開口部２１には、長脚部側から短脚部側に直線状にスライドすることにより開閉する蓋体４が配設されている。
蓋体４は、閉じ位置でシャックル１の短脚部１１が挿入される有底の凹穴４１を備えている。
凹穴４１の側方には、ラッチボール５を収容するボール溝４２が設けられており、該ボール溝４２は、ラッチボール５の約１／３が凹穴４１に突出できるように、凹穴４１と一部が連通している。
ボール溝４２は、凹穴４１から反対側の側方に延設され、その先端部４２ａは、ラッチボール５の約１／３が嵌合できるように錠ケース３に設けられている。
【００２３】
ラッチボール５は蓋体４に配設された金属球からなり、一部が凹穴４１と連通するボール溝４２に配設され、凹穴４１にシャックル１の短脚部１１を挿入することにより、該短脚部１１に押されて側方に移動し、錠ケース３側に形成されたボール溝４２の先端部４２ａに一部が嵌合する状態で固定される。
これにより、蓋体４は、ラッチボール５を介して錠ケース３に固定されることになり、バール等でシャックル１をこじても蓋体４は動かず、その結果、シャックル１の短脚部１１が開いて蓋体４から抜けることが防止される。
なお、ラッチボール５は、蓋体４に下から嵌着されたカバー４２ｂによりボール溝４２に封入される。
【００２４】
かくして、本実施例の鍵保管用錠は、シャックル１側が開口する鍵収納部２を錠ケース３に設け、該開口部２１に蓋体４をスライド可能に配設するとともに、該蓋体４に形成した凹穴４１にシャックル１の短脚部１１を挿入することにより蓋体４をロックするようにした鍵保管用錠において、シャックル１を閉じることにより、蓋体４を錠ケース３側に係合して固定するロック機構を設けることから、シャックル１の短脚部１１を蓋体４の凹穴４１に挿入した状態では、この短脚部１１による固定とともに、蓋体４はロック機構により錠ケース３側に固定されることになり、これにより、バール等でシャックル１をこじても蓋体４は動かず、その結果、シャックル１の短脚部１１が開いて蓋体４から抜けることを防止することができる。
【００２５】
そして、ロック機構を、側部が凹穴４１に突出するように蓋体４に配設されるとともに、凹穴４１に挿入した短脚部１１に押されることにより側方に移動して錠ケース３に係合するラッチボール５で構成することにより、簡単かつ確実な構造で蓋体４を錠ケース３側に固定することができる。
【実施例２】
【００２６】
図１０〜図１１に、本発明の鍵保管用錠の第２実施例を示す。
この鍵保管用錠は、シャックル１側が開口する鍵収納部２を錠ケース３に設け、該開口部２１に蓋体４をスライド可能に配設するとともに、該蓋体４に形成した凹穴４１にシャックル１の短脚部１１を挿入することにより蓋体４をロックする。
そして、この鍵保管用錠は、シャックル１を閉じることにより、蓋体４を錠ケース３側に係合して固定するロック機構を設けている。
【００２７】
ロック機構は、下部が退入可能に突出するように凹穴４１の下に配設されるとともに、突出状態で錠ケース３に係合し、凹穴４１に挿入した短脚部１１が当接することにより突出状態を保持するラッチボール５で構成されている。
【００２８】
シャックル１は、Ｊ字状を呈して錠ケース３の上部に設けられ、ドアノブの首や環状の取っ手等に施錠可能に取り付けられる。
シャックル１は、本実施例では、その長脚部１２がキー軸３２に一体に連結され、ダイヤル錠を構成するダイヤルリング３１を合わせることにより解錠できるようにされている。
シャックル１の長脚部１２が押し上げられると、シャックル１の短脚部１１は、蓋体４の凹穴４１から抜けて解錠状態となる。
【００２９】
錠ケース３には、上部が開口する鍵収納部２が設けられており、該鍵収納部２の開口部２１には、長脚部側から短脚部側に直線状にスライドすることにより開閉する蓋体４が配設されている。
蓋体４は、閉じ位置でシャックル１の短脚部１１が挿入される凹穴４１を備えている。
凹穴４１の下には、ラッチボール５を収容するボール穴４３が設けられており、該ボール穴４３は、ラッチボール５の約１／３が下方に突出する程度に下部が狭く形成されている。
また、ボール穴４３の上部は、ラッチボール５の約１／３が凹穴４１に移動できるように、凹穴４１と連通するように設けられている。
【００３０】
ラッチボール５は蓋体４に配設された金属球からなり、下部が退入可能に突出するようにボール穴４３に配設されている。
ラッチボール５は、図１１に示すように、この突出状態で鍵収納部２の内側に係合することにより、蓋体４をロックすることができ、凹穴４１にシャックル１の短脚部１１を挿入することにより、該短脚部１１がラッチボール５の上部に当接して突出状態が保持される。
これにより、蓋体４は、ラッチボール５を介して錠ケース３に固定されることになり、バール等でシャックル１をこじても蓋体４は動かず、その結果、シャックル１の短脚部１１が開いて蓋体４から抜けることが防止される。
【００３１】
かくして、本実施例の鍵保管用錠は、シャックル１側が開口する鍵収納部２を錠ケース３に設け、該開口部２１に蓋体４をスライド可能に配設するとともに、該蓋体４に形成した凹穴４１にシャックル１の短脚部１１を挿入することにより蓋体４をロックするようにした鍵保管用錠において、シャックル１を閉じることにより、蓋体４を錠ケース３側に係合して固定するロック機構を設けることから、シャックル１の短脚部１１を蓋体４の凹穴４１に挿入した状態では、この短脚部１１による固定とともに、蓋体４はロック機構により錠ケース３側に固定されることになり、これにより、バール等でシャックル１をこじても蓋体４は動かず、その結果、シャックル１の短脚部１１が開いて蓋体４から抜けることを防止することができる。
【００３２】
そして、ロック機構を、下部が退入可能に突出するように凹穴４１の下に配設されるとともに、突出状態で錠ケース３に係合し、凹穴４１に挿入した短脚部１１が当接することにより突出状態を保持するラッチボール５で構成することにより、簡単かつ確実な構造で蓋体４を錠ケース３側に固定することができる。
【実施例３】
【００３３】
図１２〜図１３に、本発明の鍵保管用錠の第３実施例を示す。
この鍵保管用錠は、シャックル１側が開口する鍵収納部２を錠ケース３に設け、該開口部２１に蓋体４をスライド可能に配設するとともに、該蓋体４に形成した凹穴４１にシャックル１の短脚部１１を挿入することにより蓋体４をロックする。
そして、この鍵保管用錠は、シャックル１を閉じることにより、蓋体４を錠ケース３側に係合して固定するロック機構を設けている。
【００３４】
ロック機構は、上部が凹穴４１に突出するように蓋体４に付勢して配設されるとともに、凹穴４１に挿入したシャックル１の短脚部１１に押されることにより下方に突出して錠ケース３に係合するロックピン６で構成されている。
【００３５】
シャックル１は、Ｊ字状を呈して錠ケース３の上部に設けられ、ドアノブの首や環状の取っ手等に施錠可能に取り付けられる。
シャックル１は、本実施例では、その長脚部１２がキー軸３２に一体に連結され、ダイヤル錠を構成するダイヤルリング３１を合わせることにより解錠できるようにされている。
シャックル１の長脚部１２が押し上げられると、シャックル１の短脚部１１は、蓋体４の凹穴４１から抜けて解錠状態となる。
【００３６】
錠ケース３には、上部が開口する鍵収納部２が設けられており、該鍵収納部２の開口部２１には、長脚部側から短脚部側に直線状にスライドすることにより開閉する蓋体４が配設されている。
蓋体４は、閉じ位置でシャックル１の短脚部１１が挿入される凹穴４１を備えている。
凹穴４１の下には、ロックピン６の上部を収容する上部穴４４ａが同一径で連続して形成されるとともに、上部穴４４ａの下には、該上部穴４４ａと連通するように、ロックピン６の軸穴４４ｂとロックピン６の下部を収容する下部穴４４ｃとが順次形成されている。
【００３７】
ロックピン６は、大径の上下部６１、６２と、これらの上下部を連結する軸部６３とを備え、軸部６３が蓋体４の軸穴４４ｂに上下に摺動可能に配設されるとともに、上部６１の下にばね６４を介装することにより、上部６１が凹穴４１に突出するように蓋体４に上方に付勢して配設されている。
そして、ロックピン６は、図１３に示すように、凹穴４１に挿入したシャックル１の短脚部１１に上部６１が押されることにより、ばね６４に抗して下方に摺動し、下部が蓋体４から下方に突出する。
ロックピン６は、この突出状態で錠ケース３に係合し、蓋体４をロックすることができ、凹穴４１に挿入したシャックル１の短脚部１１でこの突出状態が保持される。
これにより、蓋体４は、ロックピン６を介して錠ケース３に固定されることになり、バール等でシャックル１をこじても蓋体４は動かず、その結果、シャックル１の短脚部１１が開いて蓋体４から抜けることが防止される。
【００３８】
かくして、本実施例の鍵保管用錠は、シャックル１側が開口する鍵収納部２を錠ケース３に設け、該開口部２１に蓋体４をスライド可能に配設するとともに、該蓋体４に形成した凹穴４１にシャックル１の短脚部１１を挿入することにより蓋体４をロックするようにした鍵保管用錠において、シャックル１を閉じることにより、蓋体４を錠ケース３側に係合して固定するロック機構を設けることから、シャックル１の短脚部１１を蓋体４の凹穴４１に挿入した状態では、この短脚部１１による固定とともに、蓋体４はロック機構により錠ケース３側に固定されることになり、これにより、バール等でシャックル１をこじても蓋体４は動かず、その結果、シャックル１の短脚部１１が開いて蓋体４から抜けることを防止することができる。
【００３９】
そして、ロック機構を、上部が凹穴４１に突出するように蓋体４に付勢して配設されるとともに、凹穴４１に挿入した短脚部１１に押されることにより下方に突出して錠ケース３に係合するロックピン６で構成することにより、簡単かつ確実な構造で蓋体４を錠ケース３側に固定することができる。
【実施例４】
【００４０】
図１４〜図１５に、本発明の鍵保管用錠の第４実施例を示す。
この鍵保管用錠は、シャックル１側が開口する鍵収納部２を錠ケース３に設け、該開口部２１に蓋体４をスライド可能に配設するとともに、該蓋体４に形成した凹穴４１にシャックル１の短脚部１１を挿入することにより蓋体４をロックする。
そして、この鍵保管用錠は、シャックル１を閉じることにより、蓋体４を錠ケース３側に係合して固定するロック機構を設けている。
【００４１】
ロック機構は、中間部が錠ケース３内で軸支され、一端がシャックル１の長脚部１２と連動するとともに、シャックル１の閉じ動作により他端が上昇して蓋体４に係合する揺動片７によって構成されている。
【００４２】
シャックル１は、Ｊ字状を呈して錠ケース３の上部に設けられ、ドアノブの首や環状の取っ手等に施錠可能に取り付けられる。
シャックル１は、本実施例では、その長脚部１２がダイヤルリング３１を合わせることにより解錠され、一体に連結されたキー軸を介してばねにより押し上げられる。
シャックル１の長脚部１２が押し上げられると、シャックル１の短脚部１１は、蓋体４の凹穴４１から抜けて解錠状態となる。
一方、シャックル１の長脚部１２には、揺動片７の一端７１が係合する切欠１２ａが設けられている。
【００４３】
錠ケース３には、上部が開口する鍵収納部２が設けられており、該鍵収納部２の開口部２１には、長脚部側から短脚部側に直線状にスライドすることにより開閉する蓋体４が配設されている。
蓋体４は、閉じ位置でシャックル１の短脚部１１が挿入される凹穴４１を備えるとともに、揺動片７の他端７２が係合する切欠４５を底部に備えている。
【００４４】
揺動片７は、中央部７３が枢支されることにより揺動可能に横設したピン状のものからなり、一端７１がシャックル１の長脚部１２の切欠に係合することにより、該長脚部１２と連動するようになっている。
揺動片７の他端７２は上に曲がった鉤状を呈し、蓋体４の切欠４５に係合することにより該蓋体４を閉じ位置で固定することができる。
揺動片７は、図１５に示すように、シャックル１が閉じ状態になることにより、その一端７１が長脚部１２と連動して下降し、他端７２が蓋体４の切欠４５に係合して、蓋体４を固定する。
これにより、蓋体４は、揺動片７と長脚部１２とを介して錠ケース３に固定されることになり、バール等でシャックル１をこじても蓋体４は動かず、その結果、シャックル１の短脚部１１が開いて蓋体４から抜けることが防止される。
また、シャックル１が切断された場合でも、長脚部１２を上げない限り蓋体４の不正解錠を防止することができる。
【００４５】
かくして、本実施例の鍵保管用錠は、シャックル１側が開口する鍵収納部２を錠ケース３に設け、該開口部２１に蓋体４をスライド可能に配設するとともに、該蓋体４に形成した凹穴４１にシャックル１の短脚部１１を挿入することにより蓋体４をロックするようにした鍵保管用錠において、シャックル１を閉じることにより、蓋体４を錠ケース３側に係合して固定するロック機構を設けることから、シャックル１の短脚部１１を蓋体４の凹穴４１に挿入した状態では、この短脚部１１による固定とともに、蓋体４はロック機構により錠ケース３側に固定されることになり、これにより、バール等でシャックル１をこじても蓋体４は動かず、その結果、シャックル１の短脚部１１が開いて蓋体４から抜けることを防止することができる。
【００４６】
そして、ロック機構を、中間部が鍵収納部２内で軸支され、一端がシャックル１の長脚部１２と連動するとともに、シャックル１の閉じ動作により他端が上昇して蓋体４に係合する揺動片７で構成することにより、簡単かつ確実な構造で蓋体４を錠ケース３側に固定するとともに、シャックル１が切断された場合でも、長脚部１２を上げない限り蓋体４の不正解錠を防止することができる。
【実施例５】
【００４７】
図１６〜図１８に、本発明の鍵保管用錠の第５実施例を示す。
この鍵保管用錠は、シャックル１側が開口する鍵収納部２を錠ケース３に設け、該開口部２１に蓋体４をスライド可能に配設するとともに、該蓋体４に形成した凹穴４１にシャックル１の短脚部１１を挿入することにより蓋体４をロックする。
そして、この鍵保管用錠は、シャックル１を閉じることにより、蓋体４を錠ケース３側に係合して固定するロック機構を設けている。
【００４８】
ロック機構は、蓋体４の基部側に設けられ、閉じ位置でシャックル１の長脚部１２に嵌合するスライド方向の溝穴８１と、該溝穴８１から幅方向外側に延設されたキー溝８２と、シャックル１の長脚部１２に設けられ、シャックル１の閉じ位置でキー溝８２に嵌合するキー８３とを備えている。
【００４９】
シャックル１は、Ｊ字状を呈して錠ケース３の上部に設けられ、ドアノブの首や環状の取っ手等に施錠可能に取り付けられる。
シャックル１は、本実施例では、その長脚部１２がダイヤルリング３１を合わせることにより解錠され、一体に連結されたキー軸を介してばねにより押し上げられる。
シャックル１の長脚部１２が押し上げられると、シャックル１の短脚部１１は、蓋体４の凹穴４１から抜けて解錠状態となる。
一方、シャックル１の長脚部１２には、該長脚部１２から延設され、シャックル１の閉じ位置でキー溝８２に嵌合するキー８３が設けられている。
【００５０】
錠ケース３には、上部が開口する鍵収納部２が設けられており、該鍵収納部２の開口部２１には、長脚部側から短脚部側に直線状にスライドすることにより開閉する蓋体４が配設されている。
蓋体４は、閉じ位置でシャックル１の短脚部１１が挿入される凹穴４１を備えるとともに、蓋体４の基部側には、閉じ位置でシャックル１の長脚部１２に嵌合する溝穴８１と、該溝穴８１から側方に延設されたキー溝８２とが設けられている。
【００５１】
キー溝８２は、シャックル１の解錠状態では長脚部１２のキー８３が上に上がるため、該キー８３との嵌合が外れて蓋体４のスライドを許容するとともに、シャックル１の施錠状態では長脚部１２のキー８３が下がるため、該キー８３と嵌合して蓋体４をスライドできないように固定する。
これにより、蓋体４は、シャックル１の長脚部１２を介して錠ケース３に固定されることになり、バール等でシャックル１をこじても蓋体４は動かず、その結果、シャックル１の短脚部１１が開いて蓋体４から抜けることが防止される。
また、シャックル１が切断された場合でも、長脚部１２を上げない限り蓋体４の不正解錠を防止することができる。
【００５２】
かくして、本実施例の鍵保管用錠は、シャックル１側が開口する鍵収納部２を錠ケース３に設け、該開口部２１に蓋体４をスライド可能に配設するとともに、該蓋体４に形成した凹穴４１にシャックル１の短脚部１１を挿入することにより蓋体４をロックするようにした鍵保管用錠において、シャックル１を閉じることにより、蓋体４を錠ケース３側に係合して固定するロック機構を設けることから、シャックル１の短脚部１１を蓋体４の凹穴４１に挿入した状態では、この短脚部１１による固定とともに、蓋体４はロック機構により錠ケース３側に固定されることになり、これにより、バール等でシャックル１をこじても蓋体４は動かず、その結果、シャックル１の短脚部１１が開いて蓋体４から抜けることを防止することができる。
【００５３】
そして、ロック機構を、蓋体４の基部側に設けられ、閉じ位置でシャックル１の長脚部１２に嵌合するスライド方向の溝穴８１と、該溝穴８１から幅方向外側に延設されたキー溝８２と、シャックル１の長脚部１２に設けられ、シャックル１の閉じ位置でキー溝８２に嵌合するキー８３とにより構成することにより、簡単かつ確実な構造で蓋体４を錠ケース３側に固定するとともに、シャックル１が切断された場合でも、長脚部１２を上げない限り蓋体４の不正解錠を防止することができる。
【実施例６】
【００５４】
図１９に、本発明の鍵保管用錠の第６実施例を示す。
この鍵保管用錠は、側方が開口する鍵収納部２を錠ケース３に設け、該開口部２１に蓋体４を揺動可能に配設するとともに、該蓋体４に形成した凹穴（図示省略）にシャックル１の短脚部１１を挿入することにより蓋体４をロックする。
そして、この鍵保管用錠は、シャックル１を閉じることにより、蓋体４を錠ケース３側に係合して固定するロック機構を設けている。
【００５５】
ロック機構は、上記各実施例の構成を適宜採用することができる。
【００５６】
かくして、本実施例の鍵保管用錠は、側方が開口する鍵収納部２を錠ケース３に設け、該開口部２１に蓋体４を揺動可能に配設するとともに、該蓋体４に形成した凹穴にシャックル１の短脚部１１を挿入することにより蓋体４をロックするようにした鍵保管用錠において、シャックル１を閉じることにより、蓋体４を錠ケース３側に係合して固定するロック機構を設けることから、シャックル１の短脚部１１を蓋体４の凹穴に挿入した状態では、この短脚部１１による固定とともに、蓋体４はロック機構により錠ケース３側に固定されることになり、これにより、バール等でシャックル１をこじても蓋体４は動かず、その結果、シャックル１の短脚部１１が開いて蓋体４から抜けることを防止することができる。
【００５７】
以上、本発明の鍵保管用錠について、その実施例に基づいて説明したが、本発明は上記実施例に記載した構成に限定されるものではなく、各実施例に記載した構成を適宜組み合わせるなど、その趣旨を逸脱しない範囲において適宜その構成を変更することができる。
【産業上の利用可能性】
【００５８】
本発明の鍵保管用錠は、鍵収納部の蓋体を錠ケース側に係合させることにより、この蓋体の不正解錠を防止するという特性を有していることから、収納した鍵を簡単かつ確実な構造で安全に保管することができる鍵保管用錠として広く好適に用いることができる。
【図面の簡単な説明】
【００５９】
【図１】本発明の鍵保管用錠の第１実施例を解錠状態で示し、（ａ）はその正面断面図、（ｂ）は同側面断面図、（ｃ）は同平面断面図である。
【図２】同鍵保管用錠を施錠状態で示し、（ａ）はその正面断面図、（ｂ）は同側面断面図、（ｃ）は同平面断面図である。
【図３】同鍵保管用錠を示し、（ａ）はその解錠状態の正面図、（ｂ）は同側面図である。
【図４】同鍵保管用錠を示し、（ａ）はその解錠番号変更状態の正面断面図、（ｂ）は同側面断面図である。
【図５】同鍵保管用錠の施錠状態を示す３面図である。
【図６】錠ケースの分割体の４面図である。
【図７】錠ケースのもう一方の分割体の４面図である。
【図８】（ａ）はキー軸の３面図、（ｂ）はダイヤルリングの３面図、（ｃ）はカラーの３面図、（ｄ）はばねの２面図、（ｅ）はスペーサの２面図である。
【図９】（ａ）はシャックルの３面図、（ｂ）は蓋体の３面図、（ｃ）はカバーの３面図、（ｄ）はラッチボールの正面図である。
【図１０】本発明の鍵保管用錠の第２実施例を解錠状態で示す正面断面図である。
【図１１】同鍵保管用錠を施錠状態で示す正面断面図である。
【図１２】本発明の鍵保管用錠の第３実施例を解錠状態で示し、（ａ）はその正面断面図、（ｂ）は蓋体の拡大図である。
【図１３】同鍵保管用錠を施錠状態で示し、（ａ）はその正面断面図、（ｂ）は蓋体の拡大図である。
【図１４】本発明の鍵保管用錠の第４実施例を解錠状態で示す一部正面断面図である。
【図１５】同鍵保管用錠を施錠状態で示す一部正面断面図である。
【図１６】本発明の鍵保管用錠の第５実施例を解錠状態で示し、（ａ）はその一部正面断面図、（ｂ）は同平面図である。
【図１７】同鍵保管用錠を施錠状態で示し、（ａ）はその一部正面断面図、（ｂ）は同平面図である。
【図１８】（ａ）はシャックルの３面図、（ｂ）は蓋体の２面図である。
【図１９】本発明の鍵保管用錠の第６実施例を示し、（ａ）は解錠状態の正面図、（ｂ）は施錠状態の面側面図である。
【符号の説明】
【００６０】
１    シャックル
１１  短脚部
１２  長脚部
１２ａ  切欠
２    鍵収納部
２１  開口部
３    錠ケース
４    蓋体
４１  凹穴
４２  ボール溝
４３  ボール穴
４４ａ  上部穴
４４ｂ  軸穴
４４ｃ  下部穴
４５  切欠
５    ラッチボール
６    ロックピン
６１  下部
６２  下部
６３  軸部
６４  ばね
７    揺動片
７１  一端
７２  他端
７３  中央部
８１  溝穴
８２  キー溝
８３  キー
【図１】
2008179981.tif 000003
【図２】
2008179981.tif 000004
【図３】
2008179981.tif 000005
【図４】
2008179981.tif 000006
【図５】
2008179981.tif 000007
【図６】
2008179981.tif 000008
【図７】
2008179981.tif 000009
【図８】
2008179981.tif 000010
【図９】
2008179981.tif 000011
【図１０】
2008179981.tif 000012
【図１１】
2008179981.tif 000013
【図１２】
2008179981.tif 000014
【図１３】
2008179981.tif 000015
【図１４】
2008179981.tif 000016
【図１５】
2008179981.tif 000017
【図１６】
2008179981.tif 000018
【図１７】
2008179981.tif 000019
【図１８】
2008179981.tif 000020
【図１９】
2008179981.tif 000021